(57)【要約】【課題】ドア体の戸先側端面に設けられるエッジ部材のキャップ体を、取り付けやすく、しかも、外れにくいものに構成する。【解決手段】ドア体１の戸先に固定される戸先側エッジ部材７を、第一片７ａと、戸先方向に延出する第二片７ｂとでＬ字形に形成し、前記戸先側エッジ部材７の上下端部に、第一、第二片７ａ、７ｂにそれぞれ嵌着する第一、第二嵌着部１０ａ、１０ｂを備えたキャップ体１０を嵌着するにあたり、第一、第二片７ａ、７ｂに第一、第二係止孔７ｅ、７ｈをそれぞれ形成する一方、第一、第二嵌着部１０ａ、１０ｂに第一、第二係止爪１０ｅ、１０ｋをそれぞれ形成し、キャップ体１０を戸先側エッジ部材７に嵌着することにより、第一、第二係止孔７ｅ、７ｈに第一、第二係止爪１０ｅ、１０ｋが係止して、キャップ体１０が戸先側エッジ部材７に抜け止め状に固定する構成とする。【選択図】図５
2008297743.tif 000002
【特許請求の範囲】
【請求項１】
ドア体の戸先に固定されるエッジ部材を、ドア体の戸先側端面に固定される第一片と、戸先方向に延出して召し合わせ部となる第二片とでＬ字形に形成し、該エッジ部材の上下方向の端部に、第一、第二片にそれぞれ嵌着する第一、第二嵌着部を備えたキャップ体を嵌着するにあたり、エッジ部材の第一、第二片に第一、第二係止部をそれぞれ形成する一方、第一、第二嵌着部に第一、第二係止受け部をそれぞれ形成し、キャップ体のエッジ部材への嵌着により、第一、第二係止部に第一、第二係止受け部が係止して、キャップ体がエッジ部材から抜け止め固定されるように構成したドア体におけるエッジ部材のキャップ体。
【請求項２】
エッジ部材の第一係止部を第一係止孔とする一方、キャップ体の第一係止受け部を、エッジ部材の第一片の上下方向の端面を覆う底片から起立する第一起立片と、該第一起立片の先端部に形成され第一係止孔に係止する第一爪部とで構成される第一係止爪とし、前記第一起立片は、エッジ部材とドア体の戸先側端面とのあいだに位置するように構成されている請求項１に記載のドア体におけるエッジ部材のキャップ体。
【請求項３】
エッジ部材の第二片は、該第二片に積層状に配される部材とのあいだを封止する封止部材が上下方向に長く介装される封止部材取り付け部が形成されるものとし、第二係止部を封止部材取り付け部に形成した第二係止孔とする一方、キャップ体の第二係止受け部を第二片の上下方向の端面を覆う底片から起立する第二起立片と、該第二起立片の先端部に形成される第二爪部とで構成される第二係止爪とし、第二起立片が封止部材の抜け止めをするように構成されている請求項１または２に記載のドア体におけるエッジ部材のキャップ体。
【発明の詳細な説明】
【技術分野】
【０００１】
本発明は、玄関ドア等、出入り口部に設けられるドア体におけるエッジ部材のキャップ体の技術分野に属するものである。
【背景技術】
【０００２】
一般に、この種玄関ドア等のドア体のなかには、ドア体の戸尻側端部となる一側縁部を開口部の一側縁部に丁番等を介して枢支することで、戸先側端部である他端側縁部が、屋内外方向に開閉揺動するように構成したものがある。このようなドア体において、ドア体の戸先側端部に、ドア体の戸先側端面に固定される第一片と、戸先側に延出して躯体との召し合わせ部となる第二片とでＬ字形に形成されたエッジ部材を取り付けることがある。この場合に、エッジ部材はアルミ型材等で形成されていて硬いため、通行者がエッジ部材の角部等にあたって怪我をすることを回避するべく、エッジ部材の端部となる上下端部に樹脂製のキャップ体を取り付けることが提唱されている。
【０００３】
ところで、キャップ体のエッジ部材への固定はビス止めが一般的であり、例えば、エッジ部材にビスポケットを形成し、エッジ部材の端面を覆うべくキャップ体に形成されている底面部からビスポケットに対してビスを螺入することによりキャップ体をエッジ部材に固定することが提唱されている。
【特許文献１】登録実用新案公報第３０１４１３４号
【発明の開示】
【発明が解決しようとする課題】
【０００４】
しかるに、前記従来のものは、ドア体の戸先側端面に突き当てられる第一片の屋内外方向両端部にビスポケットを形成し、これら二箇所においてビス止めするように構成されている。このため、キャップ体を位置合わせする状態でエッジ部材の端部にあてがう作業と、二箇所においてビス止めする作業が必要となり、取り付け作業が煩雑、かつ、面倒であるという問題がある。
さらにこのものでは、キャップ体は二箇所においてエッジ部材に固定されるものであるが、これら固定部は、エッジ部材の第一片の屋内外方向両端部においてなされていて、躯体との召し合わせ部となる第二嵌着部の先端側部位は、エッジ部材の第二片にビスポケットを形成するための充分なスペースを確保することが難しいことから固定部が形成されることはない。これに対し、固定部が形成されない召し合わせ部となる第二嵌着部には、出入り口部の通行時等に人の足や荷物等が当たりやすく、このため、第二嵌着部にガタ付きが生じ、ビスが緩んでキャップ体が外れやすくなるという問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、ドア体の戸先に固定されるエッジ部材を、ドア体の戸先側端面に固定される第一片と、戸先方向に延出して召し合わせ部となる第二片とでＬ字形に形成し、該エッジ部材の上下方向の端部に、第一、第二片にそれぞれ嵌着する第一、第二嵌着部を備えたキャップ体を嵌着するにあたり、エッジ部材の第一、第二片に第一、第二係止部をそれぞれ形成する一方、第一、第二嵌着部に第一、第二係止受け部をそれぞれ形成し、キャップ体のエッジ部材への嵌着により、第一、第二係止部に第一、第二係止受け部が係止して、キャップ体がエッジ部材から抜け止め固定されるように構成したドア体におけるエッジ部材のキャップ体である。
請求項２の発明は、エッジ部材の第一係止部を第一係止孔とする一方、キャップ体の第一係止受け部を、エッジ部材の第一片の上下方向の端面を覆う底片から起立する第一起立片と、該第一起立片の先端部に形成され第一係止孔に係止する第一爪部とで構成される第一係止爪とし、前記第一起立片は、エッジ部材とドア体の戸先側端面とのあいだに位置するように構成されている請求項１に記載のドア体におけるエッジ部材のキャップ体である。
請求項３の発明は、エッジ部材の第二片は、該第二片に積層状に配される部材とのあいだを封止する封止部材が上下方向に長く介装される封止部材取り付け部が形成されるものとし、第二係止部を封止部材取り付け部に形成した第二係止孔とする一方、キャップ体の第二係止受け部を第二片の上下方向の端面を覆う底片から起立する第二起立片と、該第二起立片の先端部に形成される第二爪部とで構成される第二係止爪とし、第二起立片が封止部材の抜け止めをするように構成されている請求項１または２に記載のドア体におけるエッジ部材のキャップ体である。
【発明の効果】
【０００６】
請求項１の発明とすることにより、エッジ部材の端部にキャップ体を抜け止め状に嵌着固定する作業を容易に行なうことができるうえ、キャップ体の第一、第二嵌着部がそれぞれエッジ部材に対して係止される状態となって、エッジ部材からの脱落を防止できる。
請求項２の発明とすることにより、キャップ体を、エッジ部材から一層外れにくい構成とすることができる。
請求項３の発明とすることにより、部品の兼用化を果すことができて、部品点数の削減を図れる。
【発明を実施するための最良の形態】
【０００７】
つぎに、本発明の実施の形態について、図面に基づいて説明する。
図面において、１は玄関に形成された開口部を開閉するドア体（玄関ドア）であって、該ドア体１は、屋内外一対の面板２、３のあいだにコア材４を介装することにより、板厚Ｔを有した形状に形成されている。そして、本実施の形態のドア体１は、図１（Ａ）において右側縁部が戸尻側端部となり、該戸尻側端部と躯体開口部の右側縁部とのあいだに上下方向複数箇所において丁番５が介装されており、これによって、ドア体１が躯体に枢支され、ドア体１の戸先側に配される把手１ａを把持し、屋外側に向けて揺動することで開口部の開放がなされるように構成されていること等は従来通りの構成となっている。
【０００８】
ここで、屋内外一対の面板２、３は、それぞれドア体１の戸尻側、戸先側の端部において互いに対向する側に折曲する折曲片２ａ、３ａに形成され、これら折曲片２ａ、３ａにより、ドア体１の戸尻側端面、戸先側端面を構成するように設定されている。尚、４ａはそれぞれドア体１の戸尻側、戸先側に設けられた断面コ字形の骨材であって、折曲片２ａ、３ａは骨材に沿って折曲されている。
そして、これら両面板２、３の折曲片２ａ、３ａにより形成されるドア体１の戸尻側端面、戸先側端面には、折曲片２ａ、３ａを覆うようにして戸尻側エッジ部材６と戸先側エッジ部材（本発明のエッジ部材に相当する）７とが固定されている。これら戸尻側、戸先側の各エッジ部材６、７は、それぞれアルミ型材により形成された長尺体により構成されている。
ここで、ドア体１の戸尻側端面に固定される戸尻側エッジ部材６は、従来通りの構成であり、丁番５とともに螺子５ａを用いて戸尻側端面となる部材に固定されている。
【０００９】
一方、ドア体１の戸先側端面に固定される戸先側エッジ部材７は、ドア体１の戸先側端面に固定される第一片７ａと、該第一片７ａの屋外側端部から戸先側に向けて延出し、枠体に積層する召し合わせ部となる第二片７ｂとを備えて断面Ｌ字形に形成されている。前記第一片７ａは、ドア体１の板厚Ｔよりも長く形成されており、ドア体１の戸先側端面対向部位には、ドア体１側に向けて突出する複数の脚片７ｃが長尺方向（上下方向）に長く形成されているとともに、ドア体１の屋外側面に沿う部位に位置して前記脚片７ｃよりも突出量の長い位置決め片７ｄが長尺方向に長く形成されている。そして、第一片７ａの戸先側端面対向部位における上下両端部に位置して、本発明の第一係止部に相当する第一係止孔７ｅが矩形状に開設されている。
【００１０】
また、戸先側エッジ部材７の第二片７ｂは、開口部にドア体１を枢支したとき、開口部に設けられる図示しない枠材に屋外側から対向するように設定されており、第二片７ｂの延出先端部には、屋内側が開口する蟻溝状のポケット７ｆが長尺方向に長く形成されており、該ポケット７ｆに、ゴム質弾性材で形成された封止部材（戸当たり）８の基端部が収容されるように設定されている。そして、ポケット７ｆの開口部が形成される屋内側片７ｇには、上下方向両端部に位置して本発明の第二係止部に相当する第二係止孔７ｈが矩形状に開設されている。
そして、戸先側エッジ部材７は、図５に示すように、上下方向複数箇所において固定螺子９を用いてドア体１の戸先側端面に固定されるが、このとき、位置決め片７ｄをドア体１の屋外側面３に沿わせることにより屋内外方向の位置決めをし、脚片７ｃの延出端部を戸先側端面に突き当てた状態で固定されるように設定されている。これによって、ドア体１の戸先側端面と戸先側エッジ部材第一片７ａとの間に空隙部Ｓが形成されるように設定されている。また、第一片７ａの屋内側端縁部には、屋内側面板２の折曲片２ａに当接する脚片７ｉが一体に形成されている。
【００１１】
１０は、キャップ体であって、該キャップ体１０は、戸先側エッジ部材７の上下の各端部に嵌着されるが、上下のキャップ体１０は互いに線対称状に形成されたものがそれぞれ用いられているので、ここでは、下端部に設けられるキャップ体１０について詳細な説明をし、上端部に設けられるキャップ体１０については説明を省略する。
戸先側エッジ部材７の下端部に嵌着するキャップ体１０は、戸先側エッジ部材７の第一片７ａに嵌着する第一嵌着部１０ａと、第二片７ｂに嵌着する第二嵌着部１０ｂとを備えてＬ字形に構成されている。前記第一嵌着部１０ａには、第一片７ａの下端面からドア体１下端面の戸先側部位までを一体に覆うように形成される第一底片１０ｃと、第一片７ａの戸先側端縁から上方に起立する第一側片部１０ｄとが形成されている。そして、第一底片１０ｃには、第一片７ａに形成される第一係止孔７ｅに、戸尻方向から係止する第一係止爪１０ｅが形成されているが、該第一係止爪１０ｅは、本発明の第一係止受け部に相当し、第一底片１０ｃから起立する第一起立片１０ｆと、該第一起立片１０ｆの先端部から戸先側に向けて突出形成され、上端にガイド面が形成された第一爪部１０ｇとを備えて構成されている。このとき、第一側片部１０ｄと第一爪部１０ｇとの突出先端とのあいだの距離Ｓ１は、戸先側エッジ部材７の第一片７ａの板厚寸法よりも狭くなるように設定されている。尚、１０ｈは第一底片１０ｃの第一係止爪１０ｅの形成部位に切り欠かれた第一切り欠き孔であって、下側のキャップ体１０に配された第一切り欠き孔１０ｈは、戸先側エッジ部材７に浸入した水を排水するための水抜き孔として機能するように構成されている。
【００１２】
一方、第二嵌着部１０ｂには、第二片７ｂの下端面を覆う第二底片１０ｉと、該第二底片１０ｉの端縁から起立し、第二片７ｂの両面部に沿う第二側片部１０ｊとが形成されている。そして、第二嵌着部１０ｂの戸先側延出部の延出先端には、第二片７ｂに形成される第二係止孔７ｈに、屋外方向から係止する第二係止爪１０ｋが形成されているが、第二係止爪１０ｋは、本発明の第二係止受け部に相当し、第二底片１０ｉから起立する第二起立片１０ｍと、該第二起立片１０ｍの先端部から屋内側に向けて突出形成され、上端にガイド面が形成された第二爪部１０ｎとで構成されている。さらに、第二係止爪１０ｋは、戸先側エッジ部材７のポケット７ｆの凹部内に嵌入可能な大きさに形成されており、屋内側の第二側片部１０ｊと第二爪部１０ｎの突出先端とのあいだの距離Ｓ２は、ポケット７ｆの屋内側片７ｇの板厚寸法よりも狭くなるように設定されている。尚、１０ｐは第二底片１０ｉの第二係止爪１０ｋの形成部位に切り欠かれた第二切り欠き孔であって、下側のキャップ体１０に配された第二切り欠き孔１０ｐは、第一切り欠き孔１０ｈとともに、戸先側エッジ部材７に浸入した水を排水するための水抜き孔として機能するように構成されている。
【００１３】
そして、ドア体１に固定される前の段階の戸先側エッジ部材７にキャップ体１０を固定し、その後、キャップ体１０付きの戸先側エッジ部材７をドア体１に固定することになるが、キャップ体１０の戸先側エッジ部材７への取り付けはつぎのようになされる。
つまり、キャップ体１０を、第一、第二側片１０ｄ、１０ｊを上方に向け、第一、第二底片１０ｃ、１０ｉを戸先側エッジ部材７の下端面に対向させる状態として戸先側エッジ部材７にあてがうが、このとき、キャップ体１０の第一側片１０ｄと第一係止爪１０ｅとで、第一片７ａの第一係止孔７ｅ下方部位を挟む状態とする一方、キャップ体１０の第二係止爪１０ｋをポケット７ｆの凹部内に嵌入させる状態とする。このとき、第一爪部１０ｇは戸先側を向き、第二爪部１０ｎは屋内側を向いており、この状態から、そのままキャップ体１０を上動させて戸先側エッジ部材７に対して押し込むと、第一、第二係止爪１０ｅ、１０ｋが弾性変形する状態で第一、第二係止孔７ｅ、７ｈの下方部位を摺動し、第一、第二底片１０ｃ、１０ｉが第一、第二片７ａ、７ｂの下端面に当接する状態となると、第一爪部１０ｇが第一係止孔７ｅの戸尻側の孔縁に係止し、第二爪部１０ｎが第二係止孔７ｈの屋外側の孔縁に係止する状態で嵌着し、キャップ体１０の抜け止め状の固定がなされるように設定されている。この係止状態になると、キャップ体１０は、第一嵌着部１０ａと第二嵌着部１０ｂの両者において戸先側エッジ部材７との固定部が形成されることになって強固な抜け止め状の一体化がなされるが、この場合に、第二嵌着部１０ｂについては、第一嵌着部１０ａから最も離れ、第二嵌着部１０ｂの先端部において固定部が形成されることになり、ドア体１の開閉時に障害物が当接しやすい召し合わせ部となるキャップ体１０の第二嵌着部１０ｂに障害物が当接したような場合であっても、キャップ体１０が外れてしまうようなことを防止できるように設定されている。
【００１４】
そして、キャップ体１０の取り付けられた戸先側エッジ部材７をドア体１の戸先側端面に固定した状態において、第一係止爪１０ｅは、図６（Ｂ）、図８（Ａ）に示すように、戸先側エッジ部材７の第一片７ａとドア体１の戸先側端面とのあいだに位置するように設定されており、これによって、第一係止爪１０ｅが係止解除する方向に変形しようとしてもドア体１の戸先側端面が邪魔になって変形が規制され、第一係止爪１０ｅが第一係止孔７ｅから抜け出すことがないように設定されている。
一方、第二係止爪１０ｋは、図８（Ｃ）に示すように、戸先側エッジ部材７ののポケット７ｆに嵌入した状態となるように設定されており、これによって、第二係止爪１０ｋが係止解除する方向に変形しにくく、第二係止爪１０ｋが第二係止孔７ｈから抜け出すことがないように設定されている。また、戸先側エッジ部材７のポケット７ｆには、封止部材８の基端部８ａが嵌入されるが、該封止部材８は、上下のキャップ体１０の第二係止爪１０ｋのあいだに介装されることになり、封止部材８の基端部８ａが上下の第二起立片１０ｍのあいだに挟まれる状態で位置規制され、第二起立片１０ｍが封止部材８の抜け止めを兼用するように構成されている。
【００１５】
叙述の如く構成された本形態において、ドア体１の戸先側端面に固定される戸先側エッジ部材７は、上下端部に予めキャップ体１０が設けられてからドア体１に固定されることになるが、キャップ体１０は、戸先側エッジ部材７の上下端部にあてがって押しやるだけの簡単な操作で、キャップ体１０の第一、第二嵌着部１０ａ、１０ｂにそれぞれ設けられた第一、第二係止爪１０ｅ、１０ｋが第一、第二係止孔７ｅ、７ｈにそれぞれ係止する状態となる。しかも、キャップ体１０は、第一、第二嵌着部１０ａ、１０ｂの両者において戸先側エッジ部材７に対して抜け止め状態で固定されるので、ドア体１の開閉時等に通行者の足や荷物等の障害物がキャップ体に当接してもキャップ体１０が外れ難く、信頼性の高いキャップ体１０とすることができる。しかも、キャップ体１０は、ワンタッチの操作で抜け止めされた状態で取り付けることが可能となるので、従来のキャップ体をエッジ部材に螺子止め固定するもののように、取り付けの作業が煩雑、かつ、面倒になることがないものとすることができ、作業性の改善を図れるものでありながら、戸先側エッジ部材７からキャップ体１０が外れ難いものにすることができる。
【００１６】
しかも、本発明が実施されたものでは、第一係止爪１０ｅは、第一係止孔７ｅに戸尻側から係止するように構成したので、戸先側エッジ部材７をドア体１の戸先側端面に固定したとき、第一起立片１０ｆが戸先側エッジ部材７の第一片７ａとドア体１の戸先側端面とのあいだに位置することになり、第一係止爪１０ｅが係止解除する方向に変形しようとしてもドア体１の戸先側端面が邪魔になり、係止解除されることがなく、キャップ体１０を、戸先側エッジ部材７から一層外れ難くできる。
【００１７】
さらに、第二係止爪１０ｋは、戸先側エッジ部材７のポケット７ｆに嵌め込まれる状態で係止する構成であるので、第二係止爪１０ｋが第二係止孔７ｈから外れ難くすることができるうえ、ポケット７ｆに嵌入する封止部材８の基端部８ａの抜け止めをすることができて、別途封止部材８専用の抜け止め部材を設ける必要がなくなって、部材の兼用化が図れて、部品点数の削減が実現する。
【図面の簡単な説明】
【００１８】
【図１】図１（Ａ）、（Ｂ）はそれぞれドア体の正面図、背面図である。
【図２】図２（Ａ）、（Ｂ）、（Ｃ）はそれぞれ戸先側エッジ部材の側面図、平面図、背面図である。
【図３】図３（Ａ）、（Ｂ）、（Ｃ）はそれぞれキャップ体の側面図、平面図、図３（Ｂ）のＸ−Ｘ断面図である。
【図４】図４（Ａ）、（Ｂ）はそれぞれキャップ体の側面図、底面図である。
【図５】ドア体、戸先側エッジ部材、キャップ体の取り付け状態を説明する斜視図である。
【図６】図６（Ａ）、（Ｂ）はそれぞれドア体下端部を切り欠いた斜視図、第一係止孔と第一係止爪との係止状態を説明する断面図である。
【図７】ドア体の横断面図である。
【図８】図８（Ａ）、（Ｂ）、（Ｃ）はそれぞれ戸先側エッジ部材における横断面図、図８（Ａ）のＸ−Ｘ断面図、図８（Ａ）のＹ−Ｙ断面図である。
【符号の説明】
【００１９】
１    ドア体
２    面板
５    丁番
６    戸尻側エッジ部材
７    戸先側エッジ部材
７ａ    第一片
７ｂ    第二片
７ｅ    第一係止孔
７ｈ    第二係止孔
８    封止部材
１０    キャップ体
１０ａ    第一嵌着部
１０ｂ    第二嵌着部
１０ｅ    第一係止爪
１０ｋ    第二係止爪
【図１】
2008297743.tif 000003
【図２】
2008297743.tif 000004
【図３】
2008297743.tif 000005
【図４】
2008297743.tif 000006
【図５】
2008297743.tif 000007
【図６】
2008297743.tif 000008
【図７】
2008297743.tif 000009
【図８】
2008297743.tif 000010